(57)【要約】【課題】電子辞書装置やパーソナルコンピュータなど、キー操作に応じて動作する電子機器であって、キー数を増減変更することも含めた多様なカスタマイズを行うこと。【解決手段】キーボード１１上に配置され、本辞書装置１０に搭載された各辞書コンテンツによる辞書検索モードを選択的に指定するための辞書モードキー１９ａ，１９ｂ，…を備えたモードキーユニット１９を、当該辞書モードキー１９ａ，１９ｂ，…の配設キー数が増減異なる増キータイプのモードキーユニット１９Ａや減キータイプのモードキーユニット１９Ｂ、あるいはキー形状の異なる形状変更タイプのモードキーユニット１９Ｃに、ユーザが必要に応じて容易に脱着交換できると共に、当該キーユニット交換後の各辞書モードキー１９ａ，１９ｂ，…のそれぞれに対して、内蔵された多数の辞書コンテンツの中から所望の辞書コンテンツを選択して割り付け設定することができる。【選択図】      図４
2007334440.tif 000002
【特許請求の範囲】
【請求項１】
それぞれキー数の異なる複数のキーを有するキーユニットを交換可能なキーユニット着脱部と、
このキーユニット着脱部に装着されたキーユニットを取り外して異なるキーユニットに交換した場合に、当該交換されたキーユニットの各キーに割り付ける機能を設定するキー機能設定手段と、
を備えたことを特徴とする電子機器。
【請求項２】
前記キーユニットは、その一端側に前記キーユニット着脱部の一端に係止されるフック部を備えると共に、その他端側に機器本体の回路部と電気的に接続するためのオスメス式コネクタ部を備え、最初にフック部を係止させ、次にコネクタ部を差し込み接続して前記キーユニット着脱部に装着することを特徴とする請求項１に記載の電子機器。
【請求項３】
１つのキー機能毎に分割され機器本体に着脱可能な複数のキーブロックと、
この複数のキーブロックが任意の順序で配列されて装着されるキーブロック装着部と、
前記複数のキーブロックそれぞれの底面に設けられ、当該各キー機能の信号を入出力するための接点と、
前記キーブロック装着部の回路基板上に前記複数のキーブロックの底面に設けられた接点の数および位置に対応して設けられ、当該キーブロックが装着された状態でその接点に接触して信号を導出する配線構造部と、
を備えたことを特徴とする電子機器。
【請求項４】
前記複数のキーブロックは、スピーカとして機能するスピーカブロックを含むことを特徴とする請求項３に記載の電子機器。
【請求項５】
１つのキー機能毎に分割され機器本体に着脱可能な複数のキーブロックと、
この複数のキーブロックが任意の順序で配列されて装着されるキーブロック装着部と、
前記複数のキーブロックそれぞれの底面に設けられ、当該各キー機能の信号を入出力するための接点と、
前記キーブロック装着部の回路基板上に前記複数のキーブロックの底面に設けられた接点の数および位置に対応して設けられ、当該キーブロックが装着された状態でその接点に接触して信号を導出する配線構造部と、
を備えたことを特徴とする請求項１または請求項２に記載の電子機器。
【発明の詳細な説明】
【技術分野】
【０００１】
本発明は、電子辞書装置やパーソナルコンピュータなど、キー操作に応じて動作する電子機器に関する。
【背景技術】
【０００２】
従来、例えば電子辞書装置は、当該装置に搭載された多数の辞書コンテンツを直接指定するための複数の辞書モードキーを備えており、この複数の辞書モードキーのそれぞれに対して多数の辞書コンテンツの中で予めメーカーサイドで選定した辞書コンテンツを対応付けて設定し、当該辞書モードキーを操作するだけで所望の辞書コンテンツに基づいた辞書検索モードが起動できるようになっている。
【０００３】
キーボードユニット上の辞書モードキーは、他のキーと同様にそのキー数・配置位置とも固定化されて設けられているので、例えば内蔵された３０辞書コンテンツのうちで、７つある辞書モードキーに対して[SHIFT]キー機能の併用により１４辞書コンテンツが対応付けられて設定されている場合、それ以外の１６辞書コンテンツについては[MENU]キーの操作に応じた辞書コンテンツの一覧画面として表示され、その中から任意の辞書コンテンツを選択して起動することができる。
【０００４】
しかしながら、数限られた辞書モードキーに対してメーカーサイドで選定された幾つかの辞書コンテンツが予め設定されている場合、ユーザによっては使用頻度の高い辞書コンテンツがその中に含まれない状況となり、毎回のように[MENU]キーに応じた辞書コンテンツの一覧画面を表示させて所望の辞書を選択操作しなければならない面倒がある。
【０００５】
そこで、各キーに対応付ける機能、この場合には各辞書モードキーに対応付ける辞書コンテンツを、ユーザ自身の操作によって変更設定できるようにした電子辞書が考えられている。そしてこの電子辞書によれば、キーに対応付ける辞書コンテンツの変更設定に応じて、当該キーその物を変更設定後の辞書コンテンツを表記するキーに交換することも可能である（例えば、特許文献１参照。）。
【特許文献１】特開２００５−３０９８４５号公報
【発明の開示】
【発明が解決しようとする課題】
【０００６】
前記従来の電子辞書などの電子機器にあっては、キーユニット上でそのキー数・位置とも固定化されている各キーについて、特にその機能キーに対する各機能の割り付けをユーザが任意に変更設定したり、割り付け変更後のキーその物を該変更後のコンテンツを表記したキーに交換したりできる。
【０００７】
しかしながら、必要に応じてキー数を増減変更し、これに応じた各キー機能の割り付け変更を行うなど、ユーザの多様なニーズに十分応えられるようなカスタマイズを行うことはできない。
【０００８】
本発明は、このような課題に鑑みなされたもので、キー数を増減変更することも含めた多様なカスタマイズを行うことが可能になる電子機器を提供することを目的とする。
【課題を解決するための手段】
【０００９】
請求項１に記載の電子機器は、それぞれキー数の異なる複数のキーを有するキーユニットを交換可能なキーユニット着脱部と、このキーユニット着脱部に装着されたキーユニットを取り外して異なるキーユニットに交換した場合に、当該交換されたキーユニットの各キーに割り付ける機能を設定するキー機能設定手段とを備えたことを特徴としている。
【００１０】
請求項２に記載の電子機器は、前記請求項１に記載の電子機器において、前記キーユニットは、その一端側に前記キーユニット着脱部の一端に係止されるフック部を備えると共に、その他端側に機器本体の回路部と電気的に接続するためのオスメス式コネクタ部を備え、最初にフック部を係止させ、次にコネクタ部を差し込み接続して前記キーユニット着脱部に装着することを特徴としている。
【００１１】
請求項３に記載の電子機器は、１つのキー機能毎に分割され機器本体に着脱可能な複数のキーブロックと、この複数のキーブロックが任意の順序で配列されて装着されるキーブロック装着部と、前記複数のキーブロックそれぞれの底面に設けられ、当該各キー機能の信号を入出力するための接点と、前記キーブロック装着部の回路基板上に前記複数のキーブロックの底面に設けられた接点の数および位置に対応して設けられ、当該キーブロックが装着された状態でその接点に接触して信号を導出する配線構造部とを備えたことを特徴としている。
【００１２】
請求項４に記載の電子機器は、前記請求項３に記載の電子機器において、前記複数のキーブロックは、スピーカとして機能するスピーカブロックを含むことを特徴としている。
【発明の効果】
【００１３】
本発明の請求項１に記載の電子機器によれば、それぞれキー数の異なる複数のキーを有する各キーユニットを、必要に応じてキーユニット着脱部にて適宜着脱交換できると共に、当該キーユニットを交換した場合には、交換後のキーユニットの各キーに割り付ける機能を設定できるので、キー数を増減しその各キー機能も適宜設定できるようになる。
【００１４】
本発明の請求項２に記載の電子機器によれば、前記請求項１に記載の電子機器において、キーユニットは、キーユニット着脱部に対して、最初に一端側のフック部を係止させ、次に他端側のコネクタ部を差し込み接続して装着するので、必要に応じたキーユニットを容易に交換できるようになる。
【００１５】
本発明の請求項３に記載の電子機器によれば、１つのキー機能毎に分割され機器本体に着脱可能な複数のキーブロックを、キーブロック装着部に任意の順序で配列して装着できると共に、各キーブロックそれぞれの底面に設けられ当該各キー機能の信号を入出力するための接点は、当該各キーブロックにおける接点の数および位置に対応して前記キーブロック装着部の回路基板上に設けられた配線構造部に接触して信号導出されるので、各キーブロックをそのキー機能を維持したままキーブロック装着部内で適宜着脱交換できるようになる。
【００１６】
本発明の請求項４に記載の電子機器によれば、前記請求項３に記載の電子機器において、複数のキーブロックには、スピーカとして機能するスピーカブロックをも含めることができるようになる。
【００１７】
よって、本発明によれば、キー数を増減変更することも含めた多様なカスタマイズを行うことが可能になる電子機器を提供できる。
【発明を実施するための最良の形態】
【００１８】
以下図面により本発明の実施の形態について説明する。
【００１９】
（第１実施形態）
図１は、本発明の電子機器の第１実施形態に係る電子辞書装置１０のキーボード１１の外観構成を示す正面図である。
【００２０】
このキーボード１１には、中央部に各種文字・数字・記号キー１２、その下に沿って各種機能キー１３、下部にページめくりキー１４、決定キー１５、カーソルキー１６、下部両端にスピーカ１７Ｌ，１７Ｒ、そして上部に電源キー１８、モードキーユニット１９が設けられる。
【００２１】
モードキーユニット１９は、そのキー数増減などの必要に応じて各種のタイプのユニットに適宜脱着交換できるもので、同図１の電子辞書装置１０では、横方向に細長にした７つの辞書モードキー１９ａ〜１９ｇを有する標準キータイプのモードキーユニット１９が装着された状態を示し、この７つの辞書モードキー１９ａ〜１９ｇに対しては[SHIFT]キー機能を併用して最大１４種の辞書コンテンツを割り付けて設定できる。
【００２２】
前記キーボード１１の上端部には、ヒンジＨを介して当該キーボード１１に重ねて折り畳み可能なＬＣＤ(Liquid Crystal Display)パネル２０が設けられる。
【００２３】
図２は、前記図１における電子辞書装置１０のキーボード１１のモードキーユニット１９の着脱接続構造を示すａ−ａ線断面図であり、同図（Ａ）はその通常装着状態を示す図、同図（Ｂ）はその取り外し状態を示す図である。
【００２４】
モードキーユニット１９は、図２（Ａ）に示すように、キーボード１１上部のハウジング２１に形成されたユニット着脱溝２２に対し、キーユニット１９のハウジング左端２３Ｌに形成されたフック２４をキーボードハウジング２１に係止し、またキーユニット１９のハウジング右端２３Ｒを前記着脱溝２２に合わせて嵌め込むのと共に、キーユニットＰＣＢ２５の裏面に突設されたオス側コネクタ端子２６をキーボードＰＣＢ(Printed Circuit Board)２７上に配設されたメス側コネクタ端子２８に嵌め込むことで容易に装着される。
【００２５】
一方、図２（Ｂ）に示すように、モードキーユニット１９は、そのハウジング右端２３Ｒを前記着脱溝２２から引き上げ、そのオス側コネクタ端子２６をキーボードＰＣＢ２７上のメス側コネクタ端子２８から矢印ａに示すように引き抜くのと共に、キーユニット１９のハウジング左端２３Ｌのフック２４を前記着脱溝２２から矢印ｂに示すように引き抜くことで容易に取り外される。
【００２６】
図３は、前記電子辞書装置１０のキーボードＰＣＢ２７上に配設されたメス側コネクタ端子２８とキーユニットＰＣＢ２５裏面に突設されたオス側コネクタ端子２６との端子構造を示す平面図である。
【００２７】
モードキーユニット１９に配列された各辞書モードキー１９ａ〜１９ｇそれぞれによるキー入力信号は、このオス側コネクタ端子２６及びメス側コネクタ端子２８の各端子を介してキーボードＰＣＢ２７へ導出され、後述する制御装置（ＣＰＵ:Central Processing Unit)４０（図６参照）に伝送される。
【００２８】
図４は、前記電子辞書装置１０において交換可能な３種類のオプションキータイプのモードキーユニット１９Ａ〜１９Ｃの辞書装着状態を抜き出して示す正面図である。
【００２９】
図４（Ａ）に示す増キータイプのモードキーユニット１９Ａは、前記標準タイプのモードキーユニット１９より１キー増の横幅の狭い８つの辞書モードキー１９ａ〜１９ｈを有し、この８つの辞書モードキー１９ａ〜１９ｈに対しては[SHIFT]キー機能を併用して最大１６種の辞書コンテンツを割り付けて設定できる。
【００３０】
図４（Ｂ）に示す減キータイプのモードキーユニット１９Ｂは、前記標準タイプのモードキーユニット１９より２キー減の横幅の広い５つの辞書モードキー１９ａ〜１９ｅを有し、この５つの辞書モードキー１９ａ〜１９ｅに対しては[SHIFT]キー機能を併用して最大１０種の辞書コンテンツを割り付けて設定できる。
【００３１】
図４（Ｃ）に示す増キー＆形状変更タイプのモードキーユニット１９Ｃは、前記標準タイプのモードキーユニット１９より１キー増で且つ小型円形の８つの辞書モードキー１９ａ′〜１９ｈ′を有し、この８つの円形辞書モードキー１９ａ′〜１９ｈ′に対しては前記増キータイプのモードキーユニット１９Ａと同様に[SHIFT]キー機能を併用して最大１６種の辞書コンテンツを割り付けて設定できる。
【００３２】
この他にも、そのキー数やキー形状を変更してなる様々なタイプのモードキーユニット１９…が用意されるが、その全てのモードキーユニット１９…が同一外寸法のキーユニットハウジング２３Ｒ，２３Ｌ、フック２４、およびオス型コネクタ端子２６を有し、前記図２で示したように、ユーザの必要に応じてキーボード１１におけるユニット着脱溝２２に対し適宜脱着交換されて使用される。
【００３３】
そして、前記モードキーユニット１９の各辞書モードキー１９ａ，１９ｂ，…それぞれのキートップ１９Ｔ…に対応隣接する当該キーユニット１９の表面上には、各辞書モードキー１９ａ，１９ｂ，…のそれぞれに割り付けて設定するコンテンツ名を表記するために、図５に示すような透明板２９にアイコンプレート３０を重ね一体化してなるコンテンツ名プレート３１…を取り付けて構成する。
【００３４】
図５は、前記電子辞書装置１０の交換可能なモードキーユニット１９の各辞書モードキー１９ａ，１９ｂ，…に対応付けて取り付けるコンテンツ名プレート３１…の取り付け手順を説明する図である。
【００３５】
先ず図５（Ａ）に示すように、辞書モードキー１９ａ，１９ｂ，…のキートップ１９Ｔの外径に対応するキートップ孔２９ａがその中央部に形成された透明板２９に対し、その裏面側から矢印ｃに示すようにインスタント・レタリングによってコンテンツ名を印刷し、同径のキートップ孔２９ａ′を有しその表面に糊印刷３０ａが施されたアイコンプレート３０を矢印ｄに示すように重ね貼り合わせて一体化する。
【００３６】
そして、図５（Ｂ）に示すように、前記透明板２９にアイコンプレート３０を一体化してなるコンテンツ名プレート３１を、矢印ｅに示すようにそのキートップ孔２９ａにキートップ１９Ｔを嵌め合わせて挿通させると共に、アイコンプレート３０の両端部３０ｂをモードキーユニット１９の表面に形成された各溝部３２に嵌め込む。
【００３７】
これにより、図５（Ｃ）に示すように、モードキーユニット１９では、各辞書モードキー１９ａ，１９ｂ，…のキートップ１９Ｔ…に対応してコンテンツ名プレート３１…が取り付けられるので、種々タイプのモードキーユニット１９，１９Ａ，１９Ｂ，…に交換されて適宜のコンテンツが割り付けられても、各辞書モードキー１９ａ，１９ｂ，…のそれぞれに設定されたコンテンツ名を容易に確認することができる。
【００３８】
図６は、前記電子辞書装置１０の電子回路の構成を示すブロック図である。
【００３９】
この電子辞書装置１０の電子回路には、コンピュータによって構成されるＣＰＵ４０が備えられる。
【００４０】
ＣＰＵ４０は、記憶装置４１内に記憶された装置制御プログラムに応じて、ＲＡＭ４２を作業用の記憶装置として回路各部の動作を制御するもので、前記記憶装置４１に記憶された装置制御プログラムは、キー入力装置（キーボード）１１からのユーザ操作に応じた入力信号に応じて起動される。
【００４１】
前記ＣＰＵ４０には、前記記憶装置４１、ＲＡＭ(Random Access Memory)４２、キー入力装置１１が接続される他に、ＬＣＤパネルからなる表示装置２０などが接続される。
【００４２】
記憶装置４１には、当該電子辞書装置１０の全体の動作を司るシステムプログラム、および各種の辞書コンテンツデータ４１ａ（図７参照）が記憶される他に、前記モードキーユニット１９の交換に伴いその辞書モードキー１９ａ，１９ｂ，…に対応付けする辞書コンテンツを設定するためのキーユニット変更処理プログラム（図１０参照）、各辞書モードキー１９ａ，１９ｂ，…からのキー入力信号に応じて起動される各辞書コンテンツに基づいた辞書検索処理を行うための辞書検索処理プログラムなどが記憶される。
【００４３】
また、ＲＡＭ４２には、前記キーユニット変更処理プログラムに従って各辞書モードキー１９ａ，１９ｂ，…と各辞書コンテンツとが対応付けられて設定されたキーモードデータ４２ａ（図８参照）、当該キーモードデータ４２ａとして設定された辞書コンテンツ以外の他の辞書コンテンツが[MENU]キーに対応付けられて設定されたメニューデータ４２ｂ（図９参照）、そして前記辞書検索処理プログラムに従って検索処理された各検索ステップでの辞書検索データが記憶される。
【００４４】
図７は、前記辞書検索装置１０の記憶装置４１に記憶内蔵された辞書コンテンツデータ４１ａの内容を示す図である。
【００４５】
この辞書コンテンツデータ４１ａとしては、例えば国語、英語、英和、和英などの各種多数の辞書データが記憶される。
【００４６】
図８は、前記辞書検索装置１０のＲＡＭ４２に記憶されたキーモードデータ４２ａの内容を示す図である。
【００４７】
このキーモードデータ４２ａとしては、キーボード１１に対して現在装着されているモードキーユニット１９が有する各辞書モードキー１９ａ(KEY1)，１９ｂ(KEY2)，…に対応付けられて設定された前記辞書コンテンツ（４１ａ）の識別記号ａ，ｂ，ｃ，…が記憶される。
【００４８】
図９は、前記電子辞書装置１０のＲＡＭ４２に記憶されたメニューデータ４２ｂの内容を示す図である。
【００４９】
このメニューデータ４２ｂとしては、前記キーモードデータ４２ａ（図８参照）において各辞書モードキー１９ａ(KEY1)，１９ｂ(KEY2)，…に対応設定された辞書コンテンツ（ｂ，ａ，ｄ，ｆ，…）以外の他の辞書コンテンツの識別記号（ｅ，ｇ，ｉ，ｋ，…）が記憶される。
【００５０】
次に、前記構成の第１実施形態の電子辞書装置１０において、モードキーユニット１９の交換に伴うユーザ操作に応じて実行される各辞書モードキー１９ａ，１９ｂ，…に対する各辞書コンテンツの割り付け設定処理について説明する。
【００５１】
図１０は、前記電子辞書装置１０のキーユニット交換に伴い実行されるキーユニット変更処理を示すフローチャートである。
【００５２】
図１１は、前記電子辞書装置１０のキーユニット変更処理に伴い表示される「環境設定／KEYレイアウト選択メニュー画面」Ｇを示す図である。
【００５３】
電子辞書装置１０において、前記図１〜図５を参照して説明したモードキーユニット１９の交換を行う際に、キーボード１１でのキー入力操作によって「環境設定メニュー」を表示させ、当該メニュー内の項目「キーの交換」を選択決定すると、電源が自動でオフされる（ステップＳ１）。これに伴いユーザは、キーボード１１上に現在装着されているモードキーユニット（１９）を必要に応じた所望のモードキーユニット（１９Ａ，１９Ｂ，…）に脱着交換する。
【００５４】
そして、電源キー１８を操作して電源をオンにすると、前記モードキーユニットの交換（１９→１９Ａ，１９Ｂ，…）が検知され、「キーユニットＮｏ」の入力画面が表示されるので、これに従ってキーボード１１を操作し前記交換後の新たなモードキーユニット（１９Ａ，１９Ｂ，…）のキーユニットＮｏを入力する（ステップＳ２）。
【００５５】
すると、このキーユニットＮｏの入力処理に応じて、図１１に示すような「環境設定／KEYレイアウト選択メニュー画面」Ｇが表示されるので、この「KEYレイアウト選択メニュー画面」Ｇに従って、例えば辞書モードキー１９ａ(KEY1)に対応する辞書コンテンツｂ（リータース）、１９ｂ(KEY2)に対応する辞書コンテンツａ（広辞源）、１９ｃ(KEY3)に対応する辞書コンテンツｄ（和英）、…、として入力対応表示させる（ステップＳ３）。
【００５６】
すると、前記「環境設定／KEYレイアウト選択メニュー画面」Ｇに従って各辞書モードキー１９ａ(KEY1)，１９ｂ(KEY2)，…に対応付けられて入力表示された辞書コンテンツ（ｂ，ａ，ｄ，ｆ，…）が、ＲＡＭ４２内のキーモードデータ４２ａ（図８参照）として設定登録されると共に、当該キーモードデータ４２ａとして設定登録された各辞書コンテンツ（ｂ，ａ，ｄ，ｆ，…）以外の他の辞書コンテンツについては、同ＲＡＭ４２内のメニューデータ４２ｂ（図９参照）として設定登録される（ステップＳ４）。
【００５７】
これにより、新たに交換されたモードキーユニット（１９Ａ，１９Ｂ，…）における各辞書モードキー１９ａ，１９ｂ，…とそのそれぞれに割り付けられて設定登録された辞書コンテンツに従って、所望の辞書コンテンツを選択し辞書検索処理を行うことができる。
【００５８】
したがって、前記構成の第１実施形態の電子辞書装置１０によれば、キーボード１１上に配置され、本辞書装置１０に搭載された各辞書コンテンツによる辞書検索モードを選択的に指定するための辞書モードキー１９ａ，１９ｂ，…を備えたモードキーユニット１９を、当該辞書モードキー１９ａ，１９ｂ，…の配設キー数が増減異なる増キータイプのモードキーユニット１９Ａや減キータイプのモードキーユニット１９Ｂ、あるいはキー形状の異なる形状変更タイプのモードキーユニット１９Ｃに、ユーザが必要に応じて容易に脱着交換できると共に、当該キーユニット交換後の各辞書モードキー１９ａ，１９ｂ，…のそれぞれに対して、内蔵された多数の辞書コンテンツの中から所望の辞書コンテンツを選択して割り付け設定することができ、ユーザによってまちまちである使用頻度の高い辞書コンテンツとその数に応じて容易に最適なモードキーカスタマイズを行うことができる。
【００５９】
なお、前記第１実施形態の電子辞書装置１０では、モードキーユニット１９，１９Ａ，１９Ｂ，…の変更に伴う各辞書モードキー１９ａ，１９ｂ，…のそれぞれに対する各辞書コンテンツの割り付け設定処理を、ユーザ自身が前記「環境設定／KEYレイアウト選択メニュー画面」Ｇに従ってその個々の辞書モードキー１９ａ，１９ｂ，…毎に所望の辞書コンテンツを割り付け設定する構成としたが、予め各モードキー１９ａ，１９ｂ，…毎に各コンテンツが割り付けられて表記された異なる種類のモードキーユニットを用意し、これらのモードキーユニットが交換された際には、その組み込み装着によるモードキーユニットとそのキーユニットＮｏの検出に応じて、自動的な内部処理によりキーモードデータ４２ａ（図８参照）が生成されて設定登録が実行される構成としてもよい。
【００６０】
なお、前記第１実施形態の電子辞書装置１０では、キーボード１１上のモードキーユニット１９（１９Ａ，１９Ｂ，…）をユーザの必要に応じて容易に交換できる構造としたが、次の第２実施形態の電子辞書装置１０′において説明するように、キーボード１１内に配置構成される各キーを幾つかのキーブロックに分割し、この分割された各キーブロックをユーザの好みに合わせて入れ替えて配置できる構成とし、より自由度のあるキーカスタマイズが行えるようにしてもよい。
【００６１】
（第２実施形態）
図１２は、本発明の電子機器の第２実施形態に係る電子辞書装置１０′のキーボード１１を主体とした外観構成を示す正面図であり、同図（Ａ）はキーボード１１とＬＣＤパネル２０とを展開してなる電子辞書装置１０′の使用状態を示す正面図、同図（Ｂ）はキーボード１１において配置交換可能な４つのＡブロック５０ａ〜Ｄブロック５０ｄをその外フレーム５１から外した状態でのキーボードＰＣＢ２７上の配線構造５２を抜き出して示す図、同図（Ｃ）は同図（Ａ）に対し配置交換された４つのＡブロック５０ａ〜Ｄブロック５０ｄを抜き出して示す図である。
【００６２】
すなわち、この第２実施形態の電子辞書装置１０′では、キーボード１１の下部に配設されるスピーカ１７をＡブロック５０ａ、カーソルキー１６をＢブロック５０ｂ、決定キー１５をＣブロック５０ｃ、ページめくりキー１４をＤブロック５０ｄとして４ブロックに分割し、図１２（Ａ）→図１２（Ｃ）に示すように、相互にその配置を任意の位置に交換可能にしたものである。
【００６３】
Ａブロック（スピーカ１７）５０ａの信号端子は信号線とＧＮＤの２接点、Ｂブロック（カーソルキー１６）５０ｂの信号端子は２入力線×２出力線の４接点、Ｃブロック（決定キー１５）５０ｃの信号端子は１入力線×２出力線の３接点、Ｄブロック（ページめくりキー１４）５０ｄの信号端子も１入力線×２出力線の３接点からなるので、キーボードＰＣＢ２７上の対応箇所には合計１２ラインの配線構造５２を設け、Ａブロック５０ａ〜Ｄブロック５０ｄそれぞれとの信号入出力が可能な構成としている。
【００６４】
図１３は、前記第２実施形態の電子辞書装置１０′における配置交換可能なＡブロック５０ａ〜Ｄブロック５０ｄそれぞれの構造を示す縦断面図であり、同図（Ａ）は図１２（Ａ）におけるＡブロック（スピーカ１７）５０ａのａ線矢視断面図、同図（Ｂ）は図１２（Ａ）におけるＢブロック（カーソルキー１６）５０ｂのｂ線矢視断面図、同図（Ｃ）は図１２（Ａ）におけるＣブロック（決定キー１５）５０ｃのｃ線矢視断面図、同図（Ｄ）は図１２（Ａ）におけるＤブロック（ページめくりキー１４）５０ｄのｄ線矢視断面図である。
【００６５】
Ａブロック（スピーカ１７）５０ａ〜Ｄブロック（ページめくりキー１４）５０ｄの何れも、装置本体下ケース１０Ｂ内に設けたキーボードＰＣＢ２７における配線構造５２上で外フレーム５１により着脱可能に取り付けられる。
【００６６】
図１３（Ａ）に示すように、Ａブロック（スピーカ１７）５０ａは、そのブロックケース５３ａ内に内蔵スピーカ５４を有し、この内蔵スピーカ５４の裏面に設けられたブロックＰＣＢ５５ａ上の２つの接点５６a1，５６a2によって前記キーボードＰＣＢ２７上の配線構造５２の対向する２ラインと導通する。
【００６７】
図１３（Ｂ）に示すように、Ｂブロック（カーソルキー１６）５０ｂは、そのブロックケース５３ｂ内にブロックKEYユニット５７ｂを有し、このブロックKYEユニット５７ｂの下部に設けられたブロックＰＣＢ５５ｂ上の３つの接点５６b1〜５６b3によって前記キーボードＰＣＢ２７上の配線構造５２の対向する３ラインと導通する。
【００６８】
図１３（Ｃ）に示すＣブロック（決定キー１５）５０ｃおよび図１３（Ｄ）に示すＤブロック（ページめくりキー１４）５０ｄの構成も前記Ｂブロック（カーソルキー１６）５０ｂの構成と略同様であり、Ｃブロック（決定キー１５）５０ｃの場合にはそのブロックKYEユニット５７ｃの下部に設けられたブロックＰＣＢ５５ｃ上の３つの接点５６c1〜５６c3によって前記キーボードＰＣＢ２７上の配線構造５２の対向する３ラインと導通し、またＤブロック（ページめくりキー１４）５０ｄの場合にはそのブロックKYEユニット５７ｄの下部に設けられたブロックＰＣＢ５５ｄ上の４つの接点５６d1〜５６d4によって前記キーボードＰＣＢ２７上の配線構造５２の対向する４ラインと導通する。
【００６９】
したがって、前記構成の第２実施形態の電子辞書装置１０′によれば、キーボード１１上の下部に並設配置される一連のキーやスピーカ部を、例えば４つのブロックであるＡブロック（スピーカ１７）５０ａ、Ｂブロック（カーソルキー１６）５０ｂ、Ｃブロック（決定キー１５）５０ｃ、Ｄブロック（ページめくりキー１４）５０ｄに分割すると共に、各ブロック毎の信号入出力に必要な当該ブロック裏面側のブロックＰＣＢ５５ａ〜５５ｄ上の各接点５６a1，５６a2〜５６d1，５６d2，５６d3，５６d4それぞれに対向して接触導通する１２ラインの配線構造５２をキーボードＰＣＢ２７上に形成し信号導出するようにしたので、当該４つのＡブロック（スピーカ１７）５０ａ、Ｂブロック（カーソルキー１６）５０ｂ、Ｃブロック（決定キー１５）５０ｃ、Ｄブロック（ページめくりキー１４）５０ｄをユーザ任意の位置に配置交換して使用することができる。
【００７０】
なお、前記第２実施形態の図１２及び図１３を参照して説明した電子辞書装置１０′では、キーボード１１の下部に並設配置した４つのブロックであるＡブロック（スピーカ１７）５０ａ、Ｂブロック（カーソルキー１６）５０ｂ、Ｃブロック（決定キー１５）５０ｃ、Ｄブロック（ページめくりキー１４）５０ｄを、それぞれ相互に交換可能な構成としたが、次の図１４（Ａ）〜図１４（Ｃ）に示すように、前記Ａブロック（スピーカ１７）５０ａ、Ｂブロック（カーソルキー１６）５０ｂ、Ｃブロック（決定キー１５）５０ｃ、Ｄブロック（ページめくりキー１４）５０ｄを、スピーカ左右独立にしたＡ（Ｌ）ブロック（スピーカ（Ｌ）１７）５０Ｌ、Ａ（Ｒ）ブロック（スピーカ（Ｒ）１７）５０Ｒおよび新Ｂブロック（カーソルキー１６）５０ｂ′、新Ｃブロック（決定キー１５）５０ｃ′、新Ｄブロック（ページめくりキー１４）５０ｄ′からなる５ブロックとして交換可能な構成としてもよい。
【００７１】
この場合、図１４（Ｂ）に示すように、前記５つのブロック５０Ｌ、５０Ｒ、５０ｂ′、５０ｃ′、５０ｄ′を適宜配置して信号導出するためのキーボードＰＣＢ２７上の配線構造５２ａは、前記４ブロック５０ａ〜５０ｄの場合よりも２ライン増設して１４ラインとすればよい。
【００７２】
図１４は、本発明の電子機器の第２実施形態（その２）に係る電子辞書装置１０′のキーボード１１を主体とした外観構成を示す正面図であり、同図（Ａ）はキーボード１１とＬＣＤパネル２０とを展開してなる電子辞書装置１０′の使用状態を示す正面図、同図（Ｂ）はキーボード１１において増設配置可能な５つのＡ（Ｌ）ブロック５０Ｌ〜新Ｄブロック５０ｄ′をその外フレーム５１から外した状態でのキーボードＰＣＢ２７上の配線構造５２ａを抜き出して示す図、同図（Ｃ）は同図（Ａ）に対し増設交換された５つのＡ（Ｌ）ブロック５０Ｌ〜新Ｄブロック５０ｄ′を抜き出して示す図である。
【００７３】
また、前記構成の第２実施形態（図１２参照）および第２実施形態（その２）（図１４参照）において説明した電子辞書装置１０′では、キーボード１１の下部に直線上に並設された４つのブロックであるＡブロック（スピーカ１７）５０ａ、Ｂブロック（カーソルキー１６）５０ｂ、Ｃブロック（決定キー１５）５０ｃ、Ｄブロック（ページめくりキー１４）５０ｄについて、対応するキーボードＰＣＢ２７上の配線構造５２（５２ａ）を利用して配置交換あるいは増設・配置交換可能な構成としたが、さらに、次の図１５（Ａ）〜図１５（Ｃ）に示すように、キーボード１１の下部を底辺とするＵ字状に並設されたスピーカ左右独立にした５つのＡ（Ｌ）ブロック（スピーカ（Ｌ）１７）５０Ｌ、Ａ（Ｒ）ブロック（スピーカ（Ｒ）１７）５０Ｒおよび新Ｂブロック（カーソルキー１６）５０ｂ′、新Ｃブロック（決定キー１５）５０ｃ′、新Ｄブロック（ページめくりキー１４）５０ｄ′について、Ｕ字外フレーム５１ａの脱着に伴い適宜組み合わせ・配置交換可能な構成としてもよい。
【００７４】
この場合、図１５（Ｂ）に示すように、前記５つのブロック５０Ｌ、５０Ｒ、５０ｂ′、５０ｃ′、５０ｄ′を適宜配置して信号導出するためのキーボードＰＣＢ２７上の配線構造５２ａは、そのＵ字状のブロック配置に合わせた１４ラインのＵ字配線構造５２ｂとすればよい。
【００７５】
図１５は、本発明の電子機器の第２実施形態（その３）に係る電子辞書装置１０′のキーボード１１を主体とした外観構成を示す正面図であり、同図（Ａ）はキーボード１１とＬＣＤパネル２０とを展開してなる電子辞書装置１０′の使用状態を示す正面図、同図（Ｂ）はキーボード１１において配置交換可能な５つのＡ（Ｌ）ブロック５０Ｌ〜新Ｄブロック５０ｄ′をそのＵ字外フレーム５１ａから外した状態でのキーボードＰＣＢ２７上のＵ字配線構造５２ｂを抜き出して示す図、同図（Ｃ）は同図（Ａ）に対し配置交換された５つのＡ（Ｌ）ブロック５０Ｌ〜新Ｄブロック５０ｄ′を抜き出して示す図である。
【００７６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７７】
【図１】本発明の電子機器の第１実施形態に係る電子辞書装置１０のキーボード１１の外観構成を示す正面図。
【図２】前記図１における電子辞書装置１０のキーボード１１のモードキーユニット１９の着脱接続構造を示すａ−ａ線断面図であり、同図（Ａ）はその通常装着状態を示す図、同図（Ｂ）はその取り外し状態を示す図。
【図３】前記電子辞書装置１０のキーボードＰＣＢ２７上に配設されたメス側コネクタ端子２８とキーユニットＰＣＢ２５裏面に突設されたオス側コネクタ端子２６との端子構造を示す平面図。
【図４】前記電子辞書装置１０において交換可能な３種類のオプションキータイプのモードキーユニット１９Ａ〜１９Ｃの辞書装着状態を抜き出して示す正面図。
【図５】前記電子辞書装置１０の交換可能なモードキーユニット１９の各辞書モードキー１９ａ，１９ｂ，…に対応付けて取り付けるコンテンツ名プレート３１…の取り付け手順を説明する図。
【図６】前記電子辞書装置１０の電子回路の構成を示すブロック図。
【図７】前記辞書検索装置１０の記憶装置４１に記憶内蔵された辞書コンテンツデータ４１ａの内容を示す図。
【図８】前記辞書検索装置１０のＲＡＭ４２に記憶されたキーモードデータ４２ａの内容を示す図。
【図９】前記電子辞書装置１０のＲＡＭ４２に記憶されたメニューデータ４２ｂの内容を示す図。
【図１０】前記電子辞書装置１０のキーユニット交換に伴い実行されるキーユニット変更処理を示すフローチャート。
【図１１】前記電子辞書装置１０のキーユニット変更処理に伴い表示される「環境設定／KEYレイアウト選択メニュー画面」Ｇを示す図。
【図１２】本発明の電子機器の第２実施形態に係る電子辞書装置１０′のキーボード１１を主体とした外観構成を示す正面図であり、同図（Ａ）はキーボード１１とＬＣＤパネル２０とを展開してなる電子辞書装置１０′の使用状態を示す正面図、同図（Ｂ）はキーボード１１において配置交換可能な４つのＡブロック５０ａ〜Ｄブロック５０ｄをその外フレーム５１から外した状態でのキーボードＰＣＢ２７上の配線構造５２を抜き出して示す図、同図（Ｃ）は同図（Ａ）に対し配置交換された４つのＡブロック５０ａ〜Ｄブロック５０ｄを抜き出して示す図。
【図１３】前記第２実施形態の電子辞書装置１０′における配置交換可能なＡブロック５０ａ〜Ｄブロック５０ｄそれぞれの構造を示す縦断面図であり、同図（Ａ）は図１２（Ａ）におけるＡブロック（スピーカ１７）５０ａのａ線矢視断面図、同図（Ｂ）は図１２（Ａ）におけるＢブロック（カーソルキー１６）５０ｂのｂ線矢視断面図、同図（Ｃ）は図１２（Ａ）におけるＣブロック（決定キー１５）５０ｃのｃ線矢視断面図、同図（Ｄ）は図１２（Ａ）におけるＤブロック（ページめくりキー１４）５０ｄのｄ線矢視断面図。
【図１４】本発明の電子機器の第２実施形態（その２）に係る電子辞書装置１０′のキーボード１１を主体とした外観構成を示す正面図であり、同図（Ａ）はキーボード１１とＬＣＤパネル２０とを展開してなる電子辞書装置１０′の使用状態を示す正面図、同図（Ｂ）はキーボード１１において増設配置可能な５つのＡ（Ｌ）ブロック５０Ｌ〜新Ｄブロック５０ｄ′をその外フレーム５１から外した状態でのキーボードＰＣＢ２７上の配線構造５２ａを抜き出して示す図、同図（Ｃ）は同図（Ａ）に対し増設交換された５つのＡ（Ｌ）ブロック５０Ｌ〜新Ｄブロック５０ｄ′を抜き出して示す図。
【図１５】本発明の電子機器の第２実施形態（その３）に係る電子辞書装置１０′のキーボード１１を主体とした外観構成を示す正面図であり、同図（Ａ）はキーボード１１とＬＣＤパネル２０とを展開してなる電子辞書装置１０′の使用状態を示す正面図、同図（Ｂ）はキーボード１１において配置交換可能な５つのＡ（Ｌ）ブロック５０Ｌ〜新Ｄブロック５０ｄ′をそのＵ字外フレーム５１ａから外した状態でのキーボードＰＣＢ２７上のＵ字配線構造５２ｂを抜き出して示す図、同図（Ｃ）は同図（Ａ）に対し配置交換された５つのＡ（Ｌ）ブロック５０Ｌ〜新Ｄブロック５０ｄ′を抜き出して示す図。
【符号の説明】
【００７８】
１０  …電子辞書装置（第１実施形態）
１０′…電子辞書装置（第２実施形態）
１０Ｂ…装置本体下ケース
１１  …キーボード
１２  …各種文字・数字・記号キー
１３  …各種機能キー
１４  …ページめくりキー
１５  …決定キー
１６  …カーソルキー
１７  …スピーカ
１７Ｌ，１７Ｒ…スピーカ
１８  …電源キー
１９  …標準タイプのモードキーユニット
１９Ａ…増キータイプのモードキーユニット
１９Ｂ…減キータイプのモードキーユニット
１９Ｃ…増キー＆形状変更タイプのモードキーユニット
１９ａ，１９ｂ，…辞書モードキー
１９ａ′，１９ｂ′，…小型円形辞書モードキー
１９Ｔ…キートップ
２０  …ＬＣＤパネル２０
２１  …キーボードハウジング
２２  …ユニット着脱溝
２３Ｌ…ハウジング左端
２３Ｒ…ハウジング右端
２４  …フック
２５  …キーユニットＰＣＢ
２６  …オス側コネクタ端子
２７  …キーボードＰＣＢ
２８  …メス側コネクタ端子
２９  …透明板
２９ａ…キートップ孔
２９ａ′…同径キートップ孔
３０  …アイコンプレート
３０ａ…糊印刷
３０ｂ…アイコンプレート両端部
３１  …コンテンツ名プレート
３２  …溝部
４０  …制御装置
４１  …記憶装置
４１ａ…各種辞書コンテンツデータ
４２  …ＲＡＭ
４２ａ…キーモードデータ
４２ｂ…メニューデータ
５０ａ…Ａブロック（スピーカ）
５０ｂ…Ｂブロック（カーソルキー）
５０ｃ…Ｃブロック（決定キー）
５０ｄ…Ｄブロック（ページめくりキー）
５１  …外フレーム
５１ａ…Ｕ字外フレーム
５２  …配線構造（１２ライン）
５２ａ…配線構造（１４ライン）
５２ｂ…Ｕ字配線構造
５３ａ〜５３ｄ…ブロックケース
５４  …内蔵スピーカ
５５ａ〜５５ｄ…ブロックＰＣＢ
５６a1，５６a2、５６b1〜５６b3、５６c1〜５６c3、５６d1〜５６d4…入出力接点
５７ｂ〜５７ｄ…ブロックKEYユニット
Ｈ  …ヒンジ
Ｇ  …環境設定／KEYレイアウト選択メニュー画面
【図１】
2007334440.tif 000003
【図２】
2007334440.tif 000004
【図３】
2007334440.tif 000005
【図４】
2007334440.tif 000006
【図５】
2007334440.tif 000007
【図６】
2007334440.tif 000008
【図７】
2007334440.tif 000009
【図８】
2007334440.tif 000010
【図９】
2007334440.tif 000011
【図１０】
2007334440.tif 000012
【図１１】
2007334440.tif 000013
【図１２】
2007334440.tif 000014
【図１３】
2007334440.tif 000015
【図１４】
2007334440.tif 000016
【図１５】
2007334440.tif 000017